(57)【要約】【課題】器具全体の高さ寸法を低く抑えた薄型の照明器具を提供する。【解決手段】照明器具Ａは、光源部４と、光源部４に点灯電力を供給する電源ユニット５と、ポール周辺の地面を照らすように光源部４を保持し且つ光源部４の光を遮らないように電源ユニット５を保持する器具本体１と、器具本体１の下部中央に設けられてポールに固定される固定部１２と、透光性材料からなり器具本体１に対して下側から取り付けられるグローブ２とを備える。固定部１２は、グローブ２を器具本体１に取り付けた状態において、グローブ２を上下方向に貫通し且つその一部がグローブ２に囲われている。これにより、器具全体の高さ寸法を低く抑えることができ、照明器具Ａの薄型化が図れる。【選択図】図１
2014022064.tif 000002
【特許請求の範囲】
【請求項１】
地面から立設されたポールの先端に取り付けられる照明器具であって、
光源部と、
前記光源部に点灯電力を供給する点灯装置と、
前記ポール周辺の地面を照らすように前記光源部を保持し且つ前記光源部の光を遮らないように前記点灯装置を保持する器具本体と、
前記器具本体の下部中央に設けられて前記ポールに固定される固定部と、
透光性材料からなり前記器具本体に対して下側から取り付けられるグローブとを備え、
前記固定部は、前記グローブを前記器具本体に取り付けた状態において、前記グローブを上下方向に貫通し且つその一部が前記グローブに囲われていることを特徴とする照明器具。
【請求項２】
前記器具本体は、平板部と、前記平板部の端縁から延出し上側に行くほど外側に傾斜する傾斜部とを有し、
前記光源部は、前記傾斜部の下面側に配置され、
前記点灯装置は、前記平板部及び前記傾斜部に囲まれた空間内に配置されることを特徴とする請求項１記載の照明器具。
【請求項３】
前記グローブを前記器具本体に取り付けるための取付金具を備え、
前記グローブは、前記器具本体に取り付けられた状態で前記固定部の一部が収納される凹部を有し、
前記器具本体の一部と前記取付金具により前記凹部の底部を挟持することで前記グローブが前記器具本体に取り付けられることを特徴とする請求項１又は２記載の照明器具。
【請求項４】
前記器具本体に対して前記グローブを着脱する際に前記グローブが落下するのを防止する落下防止手段を備え、
前記落下防止手段は、一端が前記取付金具に取り付けられ、他端が前記ポールから抜け止めされたワイヤを有していることを特徴とする請求項３記載の照明器具。
【発明の詳細な説明】
【技術分野】
【０００１】
本発明は、照明器具に関するものである。
【背景技術】
【０００２】
従来より、ポールの先端に取り付けられて街路灯や道路灯として用いられる照明器具が提供されている（例えば特許文献１参照）。この照明器具は、全体が略球形に構成された灯体と、この灯体の内部に収容される光源とを備え、さらに灯体は、半球状のカバーと、半球状且つ透光性を有するグローブと、光源からの光を下方に反射させる反射鏡と、ポールを保持するためのホルダとで構成される。そして、この照明器具によれば、光源から放射された光及び反射鏡により反射された光が下側に配置されたグローブを透過し、さらにグローブを透過した光がポールを中心とした下方全周方向に照射される。
【先行技術文献】
【特許文献】
【０００３】
【特許文献１】特開２０１０−２７２３２５号公報
【発明の概要】
【発明が解決しようとする課題】
【０００４】
上述の特許文献１に示した照明器具では、ポールを保持するためのホルダ全体がグローブから外側に出ているため、器具全体の高さ寸法が高くなってしまうという問題があった。
【０００５】
本発明は上記問題点に鑑みて為されたものであり、その目的とするところは、器具全体の高さ寸法を低く抑えた薄型の照明器具を提供することにある。
【課題を解決するための手段】
【０００６】
本発明の照明器具は、地面から立設されたポールの先端に取り付けられる照明器具であって、光源部と、光源部に点灯電力を供給する点灯装置と、ポール周辺の地面を照らすように光源部を保持し且つ光源部の光を遮らないように点灯装置を保持する器具本体と、器具本体の下部中央に設けられてポールに固定される固定部と、透光性材料からなり器具本体に対して下側から取り付けられるグローブとを備える。固定部は、グローブを器具本体に取り付けた状態において、グローブを上下方向に貫通し且つその一部がグローブに囲われている。
【０００７】
この照明器具において、器具本体は、平板部と、平板部の端縁から延出し上側に行くほど外側に傾斜する傾斜部とを有し、光源部は、傾斜部の下面側に配置され、点灯装置は、平板部及び傾斜部に囲まれた空間内に配置されるのが好ましい。
【０００８】
また、この照明器具において、グローブを器具本体に取り付けるための取付金具を備え、グローブは、器具本体に取り付けられた状態で固定部の一部が収納される凹部を有し、器具本体の一部と取付金具により凹部の底部を挟持することでグローブが器具本体に取り付けられるのも好ましい。
【０００９】
さらに、この照明器具において、器具本体に対してグローブを着脱する際にグローブが落下するのを防止する落下防止手段を備え、落下防止手段は、一端が取付金具に取り付けられ、他端がポールから抜け止めされたワイヤを有しているのも好ましい。
【発明の効果】
【００１０】
グローブを器具本体に取り付けた状態では、ポールに固定される固定部の一部がグローブに囲われているため、固定部全体がグローブから外側に出ている場合に比べて器具全体の高さ寸法を低く抑えることができ、照明器具の薄型化が図れるという効果がある。
【図面の簡単な説明】
【００１１】
【図１】本実施形態の照明器具の一例を示し、（ａ）は側断面図、（ｂ）はその一部詳細図である。
【図２】（ａ）は同上からグローブを取り外した状態の全体斜視図、（ｂ）は同上に用いられる固定部材の他の例を示す斜視図である。
【図３】（ａ）は同上の上面図、（ｂ）は同上の一部破断せる下面図である。
【図４】同上からグローブを取り外した状態を示し、（ａ）は側面図、（ｂ）は側断面図である。
【発明を実施するための形態】
【００１２】
以下に、照明器具Ａの実施形態を図１〜図４を参照して説明する。本実施形態の照明器具Ａは、例えば地面から立設されたポール１００（図２（ａ）参照）の先端に取り付けられ、ポール１００周辺の地面を照らす街路灯や公園灯、道路灯として用いられる。なお、以下の説明では特に断りがない限り、図１（ａ）中の上下方向を上下方向と規定して説明を行う。
【００１３】
本実施形態の照明器具Ａは、光源部４と、光源部４に点灯電力を供給する電源ユニット５（点灯装置）と、光源部４及び電源ユニット５を保持する器具本体１と、光源部４を覆うようにして器具本体１に取り付けられるグローブ２と、器具本体１の上側開口を塞ぐカバー３と、グローブ２を器具本体１に取り付けるための取付金具６とを主要な構成として備える。
【００１４】
光源部４は、熱伝導率の高い材料（例えばアルミニウム、アルミニウム合金、銅、ステンレスなど）により、略矩形板状に形成された放熱部材４１（図３（ｂ）参照）を有し、放熱部材４１の上面（図１（ａ）中の下面）には、ＬＥＤ素子が実装された実装基板（図示せず）が取り付けられている。また、光源部４は、ＬＥＤ素子から放射される光の配光を制御するドーム状のレンズ部４２を有し、このレンズ部４２は、ＬＥＤ素子を覆うようにして放熱部材４１に取り付けられている。
【００１５】
電源ユニット５は、光源部４に点灯電力を供給し、且つ光源部４の調光率を変化させる調光機能を有している。具体的には、夕暮れ時のように照明が必要な時間帯では１００％の調光率で光源部４を点灯させ、時間の経過とともに照明の必要性が低下すると、１００％よりも低い調光率（一例として５０％や３０％）で光源部４を点灯させる。つまり、本実施形態の照明器具Ａでは、時間の経過に応じた段調光が可能である。また、電源ユニット５は、光源部４との間が電源線４３により接続されている。
【００１６】
器具本体１は、金属材料（例えばアルミニウム、アルミニウム合金、ステンレスなど）により形成され、下面及び上面が開口する椀状の本体部１１と、中空の四角錐台形状に形成され光源部４を保持する保持部１３と、保持部１３の平板部１５（底面部）に一体に設けられポール１００に固定される円筒状の固定部１２とを有する。
【００１７】
本体部１１は、上述したように椀状に形成されており、この本体部１１の上面中央には円形の開口部１７（図１（ａ）参照）が設けられ、さらに開口部１７よりも外側には複数（図３（ａ）では５個）の凹部１６が周方向に沿って設けられている。また、各凹部１６の底部には、それぞれ固定ねじ（図示せず）が挿通される挿通孔１６ａが設けられている。さらに、開口部１７の開口端縁には、四角錐台形状の保持部１３が一体に形成されている。なお、本体部１１の開口部１７には、開口部１７の開口寸法よりも大きい外径寸法に形成されたカバー３が着脱自在に取り付けられるようになっており、例えば電源ユニット５の設定（光源部４の調光率など）を変えたり、電源ユニット５を交換する際に開けられる。
【００１８】
保持部１３は、底面部を構成する平板部１５と、平板部１５の端縁から延出し上側に行くほど外側に傾斜する４つの傾斜部１４とで四角錐台形状に形成され、各傾斜部１４の上端部分で本体部１１と一体になっている。そして、各傾斜部１４の下面には、それぞれ各１個の光源部４が取り付けられており、各光源部４からの光は斜め下方に向けて照射されるようになっている。また、平板部１５の下部中央には、円筒状の固定部１２が一体に形成されている。さらに、平板部１５には、後述の落下防止装置８のワイヤ８１が挿通される挿通孔１５ａ，１５ｂと、電源ユニット５につながる電源線及び信号線（図示せず）が挿通される挿通孔１５ｃとが設けられている。
【００１９】
ここに、各傾斜部１４及び本体部１１の内周面には白色塗装が施されており、これにより光源部４から放射される光の反射光率を向上させている。また、挿通孔１５ａ，１５ｃは固定部１２の筒内と連通する位置に設けられ、挿通孔１５ｂは固定部１２よりも外側の位置に設けられている。さらに、電源ユニット５は、平板部１５及び４つの傾斜部１４に囲まれた空間ａ１（図１（ａ）参照）内に配置されており、光源部４からの光が電源ユニット５によって遮られることはない。
【００２０】
固定部１２は、ポール１００の先端に固定されて照明器具Ａを保持するためのものであり、内径寸法がポール１００の小径部１０２の外径寸法よりもわずかに大きく設定されている。また、固定部１２の外径寸法は、ポール１００の大径部１０１の外径寸法と略同寸法に設定されており、照明器具Ａをポール１００に取り付けた状態では、継ぎ目部分の段差がない形で取り付けることができる。さらに、固定部１２の側面にはねじ孔１２ａが設けられており、このねじ孔１２ａにねじ込んだ固定ねじ（図示せず）の先端部がポール１００（小径部１０２）の側面に当接することで照明器具Ａがポール１００に固定される。また、固定部１２の筒内には、挿通孔１５ｃを通って筒内に配線された電源ユニット５からの電源線及び信号線が固定される固定部材７が配置されている。この固定部材７には、複数（図１（ａ）では３個）の張力止め具７１が設けられており、固定部材７の長手方向（図１（ａ）中の上下方向）に沿って配線された上記の電源線及び信号線がこれらの張力止め具７１を使って固定部材７に固定される。
【００２１】
グローブ２は、透光性材料（例えばアクリル樹脂など）により上面が開口する椀状に形成されている。グローブ２の下面中央には、器具本体１の固定部１２の外径寸法よりも開口寸法が大きい凹部２１が設けられており、凹部２１の底部２２には、固定部１２の外径寸法よりわずかに大きく設定された挿通孔２２ａが設けられている。また、凹部２１の底部２２には、ワイヤ８１が挿通される挿通孔２２ｂが設けられている。さらに、グローブ２は、器具本体１の本体部１１に設けられた各凹部１６に対応する部位に、ねじ孔９ａを有する取付金具９が取り付けられており、器具本体１にグローブ２を組み付けた後、凹部１６の挿通孔１６ａに挿通した固定ねじ（図示せず）を取付金具９のねじ孔９ａにねじ込むことで、グローブ２が器具本体１に固定される。また、グローブ２の内面（図１（ａ）中の上面）には、複数の凹凸形状からなるプリズム部２３が設けられており、光源部４からの光がプリズム部２３により拡散されて外部に照射されるようになっている。ここに、グローブ２を器具本体１に取り付けた状態では、平板部１５の挿通孔１５ｂと底部２２の挿通孔２２ｂとが連通するようになっている。
【００２２】
取付金具６は、図３（ｂ）に示すようにリング状に形成され、中央に設けられた開口部６２は、器具本体１の固定部１２の外径寸法よりわずかに大きく設定されている。また、取付金具６には、周方向に沿って複数（本実施形態では４個）の挿通孔６３が設けられるとともに、上記のワイヤ８１の一端が挿通される挿通孔６４が設けられている。そして、グローブ２を器具本体１に組み付けた後、開口部６２に固定部１２を挿通しながら取付金具６をグローブ２の凹部２１内に挿入し、挿通孔６３に挿通した固定ねじ６１を平板部１５に設けたねじ孔（図示せず）にねじ込むことで、グローブ２の凹部２１の底部２２が器具本体１の平板部１５と取付金具６の間で挟持されて、グローブ２が器具本体１に固定される。なお、器具本体１の平板部１５とグローブ２の凹部２１の底部２２の間、及び凹部２１の底部２２と取付金具６の間には、それぞれ円形のパッキン（図示せず）が挿入されており、防水性が確保されている。
【００２３】
ここで、グローブ２の外縁近傍にはリング状のパッキン１０（図４（ｂ）参照）が取り付けられており、このパッキン１０によって器具本体１との間の防水性を確保するようになっているが、上述の取付金具６のみでグローブ２を器具本体１に取り付けた場合には、外縁部分での密着度が弱く、防水性が十分に確保できない可能性がある。そこで、本実施形態では、器具本体１の各凹部１６の挿通孔１６ａにそれぞれ挿通させた固定ねじを対応する取付金具９のねじ孔９ａにねじ込むことで、グローブ２と器具本体１の外縁部分での密着度を高め、防水性を確保している。
【００２４】
ところで、取付金具６には、図１（ａ）及び図１（ｂ）に示すように落下防止装置８（落下防止手段）のワイヤ８１の一端が取り付けられている。このワイヤ８１の他端側は、グローブ２の凹部２１の底部２２に設けた挿通孔２２ｂ及び器具本体１の平板部１５に設けた挿通孔１５ｂを通り、さらに平板部１５に設けた挿通孔１５ａを通って固定部１２の筒内に挿入されており、先端には錘８２が取り付けられている。そして、取付金具６を固定している固定ねじ６１を取り外すと、グローブ２の自重によりグローブ２及び取付金具６が器具本体１から離れる方向（図１（ａ）中の下方向）に移動するが、ワイヤ８１の他端に取り付けられた錘８２が平板部１５の挿通孔１５ａの端縁部分に係止することで、取付金具６によってグローブ２を保持することができ、グローブ２が落下するのを防止することができる。
【００２５】
次に、照明器具Ａの組立手順について説明する。なお以下の説明では、固定部材７が予め固定部１２に取り付けられているものとして説明を行う。器具本体１の保持部１３の各傾斜部１４にそれぞれ光源部４を取り付けるとともに、平板部１５及び各傾斜部１４に囲まれた空間ａ１内に電源ユニット５を配置した後、各光源部４と電源ユニット５の間をそれぞれ電源線４３により接続する。続けて、器具本体１の開口部１７をカバー３により閉塞し、さらにグローブ２を下側から器具本体１に組み付ける。このとき、器具本体１の固定部１２は、グローブ２の凹部２１の底部２２に設けた挿通孔２２ａを通って外側に露出した状態になるが、その一部はグローブ２の凹部２１内に収納される（図１（ａ）参照）。そして、器具本体１の固定部１２を取付金具６の開口部６２に挿通しながら取付金具６をグローブ２の凹部２１内に挿入し、固定ねじ６１により取付金具６を器具本体１に固定することで、グローブ２が器具本体１と取付金具６の間で挟持されて、器具本体１に取り付けられる。その後、器具本体１の本体部１１に設けた各凹部１６の挿通孔１６ａに挿通させた固定ねじを取付金具９のねじ孔９ａにねじ込むことで、器具本体１とグローブ２とがより密着した状態で結合される。そして最後に、平板部１５の挿通孔１５ｃを通して固定部１２の筒内に挿入された電源ユニット５からの電源線及び信号線を張力止め具７１を用いて固定部材７に固定し、さらに落下防止装置８のワイヤ８１の他端側を、挿通孔１５ａ，１５ｂ，２２ｂを通して取付金具６に固定すると、照明器具Ａの組み立てが完了する。
【００２６】
このようにして組み立てられた照明器具Ａをポール１００に取り付ける際には、まず最初にポール１００側から送られてくる電源線及び信号線を、照明器具Ａ側からの電源線及び信号線にそれぞれ接続する。そして、固定部材７及び落下防止装置８をポール１００の筒内に挿入しながらポール１００の小径部１０２を固定部１２の筒内に挿入し、固定ねじを用いて固定部１２をポール１００の小径部１０２に固定すると、照明器具Ａの取り付けが完了する。
【００２７】
而して本実施形態によれば、グローブ２を器具本体１に取り付けた状態では、ポール１００に固定される固定部１２の一部がグローブ２の凹部２１内に収納されるため、固定部１２全体がグローブ２の外側に出ている場合に比べて器具全体の高さ寸法を低く抑えることができ、照明器具Ａの薄型化が図れる。また、照明器具Ａの薄型化以外に材料費の低減や軽量化が図れるとともに、景観にも配慮することができる。さらに、本実施形態のように、傾斜部１４の下面側に光源部４を配置し且つ平板部１５及び各傾斜部１４に囲まれた空間ａ１内に電源ユニット５を配置することで、光源部４と電源ユニット５とを同じような高さ位置に配置することが可能になり、その結果、器具全体の高さ寸法をさらに低く抑えることができる。また、グローブ２を器具本体１に取り付けた状態では、取付金具６がグローブ２の奥まった位置（凹部２１内）に配置されるため、取付部分が外側から見え難くなり、見栄えが向上するという利点がある。
【００２８】
なお本実施形態では、図１（ａ）に示すように長尺板状に形成された固定部材７を例に説明したが、例えば図２（ｂ）に示すように、支持金具７２及び張力止め金具７３で固定部材７を構成し、支持金具７２に対して張力止め金具７３を矢印Ｂの向き及び矢印Ｂと逆向きに回転できるようにしてもよい。この場合、照明器具Ａを梱包する際には、張力止め金具７３を矢印Ｂと逆向きに回転させることで（図２（ｂ）中の二点鎖線で示す状態）、梱包時の厚み寸法を小さくすることができる。そして、照明器具Ａを使用する際には、張力止め金具７３を矢印Ｂの向きに回転させ（図２（ｂ）中の実線で示す状態）、固定ねじ７４を用いてねじ固定することで、支持金具７２と張力止め金具７３とが一体的に固定される。
【００２９】
また本実施形態では、光源部４が４個の場合を例に説明したが、光源部４の個数は本実施形態に限定されるものではなく、１〜３個でもいいし、５個以上であってもよい。さらに、光源部の光源についてもＬＥＤに限定されるものではなく、他の光源であってもよい。さらに本実施形態では、固定部１２を器具本体１と一体に設けているが、別体であってもよい。また本実施形態では、ワイヤ８１の他端に取り付けられた錘８２が平板部１５の挿通孔１５ａの端縁部分に係止することで抜け止めされるが、ワイヤ８１の他端がポール１００及び器具本体１から抜け止めされるようになっていればよく、他の方法でもよい。さらに本実施形態では、アクリル樹脂によりグローブ２を形成しているが、例えば拡散性を有する材料や乳白材料によりグローブ２を形成してもよい。
【符号の説明】
【００３０】
１  器具本体
２  グローブ
４  光源部
５  電源ユニット（点灯装置）
１２  固定部
Ａ  照明器具
【図１】
2014022064.tif 000003
【図２】
2014022064.tif 000004
【図３】
2014022064.tif 000005
【図４】
2014022064.tif 000006